(57)【要約】【課題】従来の発光装置と同じ配置スペースだけで間接照明方式を採用でき、もって遊技者の目に優しくかつ実施化の図り易い遊技機を提供する。【解決手段】遊技機は、その前面部に発光装置６を設けてなる。この発光装置は、光源３０を実装した光源基板３１と、この光源基板を取り付けるための取付部４０を有するランプベース部４１と、このランプベース部との間に光源基板を内包するようにランプベース部に取り付けられたランプカバー５０とを備える。光源基板の少なくとも一部を、光源をランプカバーと反対側に向けた裏向き状態で取付部に取り付ける。ランプベース部は、その取付部に光源基板を裏向き状態に取り付けたとき光源基板の光源との間に光源から照射される光の拡散に必要な所定距離を置くように形成されているとともに、光源基板の光源から照射される光をランプカバー側に反射するための反射面を有してなる。【選択図】      図３
2006034369.tif 000002
【特許請求の範囲】
【請求項１】
遊技機の前面部に発光装置が設けられており、この発光装置は、光源を実装した光源基板と、この光源基板を取り付けるための取付部を有するランプベース部と、このランプベース部との間に光源基板を内包するようにランプベース部に取り付けられたランプカバーとを備えており、上記光源基板の少なくとも一部は、光源をランプカバーと反対側に向けた裏向き状態で取付部に取り付けられており、上記ランプベース部は、その取付部に光源基板を裏向き状態に取り付けたとき光源基板の光源との間に光源から照射される光の拡散に必要な所定距離を置くように形成されているとともに、光源基板の光源から照射される光をランプカバー側に反射するための反射面を有してなることを特徴とする遊技機。
【請求項２】
上記ランプカバーは、光源基板が光源をランプカバー側に向けた表向き状態でランプベース部の取付部に取り付けられたとき光源基板の光源との間に光源から照射される光の拡散に必要な所定距離を置くように形成されている請求項１記載の遊技機。
【請求項３】
上記光源基板には光を透過するための複数の切り欠き部が適宜分散して設けられている請求項２記載の遊技機。
【請求項４】
上記ランプベース部の反射面は、光源基板の各切り欠き部に対向して曲面部又は凹凸面部を有してなる請求項３記載の遊技機。
【請求項５】
上記光源基板の幅寸法は、ランプベース部及びランプカバーの幅寸法の２分の１以下に設定されている請求項２記載の遊技機。
【請求項６】
上記ランプベース部は、光源基板と対向する底部から光源基板寄りに突出する複数の円柱状の取付部を有しており、この各取付部の先端面に上記光源基板がそれぞれねじ止めにより固定されている請求項２ないし請求項５のいずれか一つに記載の遊技機。
【請求項７】
上記光源基板は、複数の部分に分割されており、そのうちの一部は裏向き状態で，残部は表向き状態でそれぞれランプベース部の取付部に取り付けられている請求項６記載の遊技機。
【請求項８】
上記ランプベース部は、遊技機の前面部の一部を構成する合成樹脂製のフレームと一体に成形されている請求項２ないし請求項７のいずれか一つに記載の遊技機。
【請求項９】
上記ランプベース部は、素材用樹脂に高反射グレードの樹脂を使用し、あるいは樹脂にクロムメッキ、アルミ蒸着又は反射フイルムの貼付の処理を施すことにより反射面を有してなる請求項８記載の遊技機。
【請求項１０】
遊技機の前面部に設けられる遊技機用発光装置であって、
光源を実装した光源基板と、
この光源基板を取り付けるための取付部を有するランプベース部と、
このランプベース部との間に光源基板を内包するようにランプベース部に取り付けられたランプカバーとを備えており、
上記光源基板の少なくとも一部は、光源をランプカバーと反対側に向けた裏向き状態で取付部に取り付けられており、
上記ランプベース部は、その取付部に光源基板を裏向き状態に取り付けたとき光源基板の光源との間に光源から照射される光の拡散に必要な所定距離を置くように形成されているとともに、光源基板の光源から照射される光をランプカバー側に反射するための反射面を有してなることを特徴とする遊技機用発光装置。
【発明の詳細な説明】
【技術分野】
【０００１】
本発明は、照明や遊技演出のための発光装置を装備するスロットマシンやパチンコ機などの遊技機及び遊技機用発光装置に関する。
【背景技術】
【０００２】
一般に、スロットマシンやパチンコ機などの遊技機においては、照明や遊技演出のために、遊技者に面する前面部（スロットマシンの場合前扉、パチンコ機の場合前面枠や遊技盤など）に発光装置が装備されている。この種の発光装置は、通常、発光ダイオードなどの光源を実装した光源基板と、この光源基板を覆うランプカバーとを備えてなり、光源基板は、光源をランプカバー側に向けた表向き状態で前面部の一部を構成するフレームなどに設けた取付部に取り付けられている。
【０００３】
しかしながら、上記従来のものでは、光源基板の光源からの光がランプカバーのみを通して遊技者側に照射されるため、遊技者によっては眩しくて目が疲れるという問題がある。
【０００４】
そこで、このような問題を解決するために、遊技機の前面部に取り付けたランプカバーの背面に対向して、遊技機の内部に反射板を設けるとともに、光源を実装した光源基板を、光源からの光がランプカバーの背面に直接照射しない位置に配置し、この光源基板上の光源から照射される光を反射板で反射し、この反射光がランプカバーを通して遊技者側に照射されるいわゆる間接照明方式を用いることが考えられる（特許文献１参照）。
【特許文献１】特開平９−２９９５４７号公報
【発明の開示】
【発明が解決しようとする課題】
【０００５】
ところが、遊技機の前面部には発光装置以外にも音響装置や遊技部品などの種々の装置類を取り付ける必要があるため、ランプカバーの背面と対向する位置以外の遊技機内部に光源基板の配置スペースを確保することは容易ではなく、実施化が図れていないのが実情である。
【０００６】
本発明はかかる点に鑑みてなされたものであり、その課題とするところは、従来の発光装置と同じ配置スペースだけで間接照明方式を採用できるように発光装置を改良し、もって遊技者の目に優しくかつ実施化の図り易い遊技機用発光装置及びそれを備えた遊技機を提供せんとするものである。
【課題を解決するための手段】
【０００７】
上記の課題を解決するため、請求項１に係る発明は、遊技機として、その前面部に発光装置が設けられていることを前提とする。そして、この発光装置を、光源を実装した光源基板と、この光源基板を取り付けるための取付部を有するランプベース部と、このランプベース部との間に光源基板を内包するようにランプベース部に取り付けられたランプカバーとによって構成する。また、上記光源基板の少なくとも一部を、光源をランプカバーと反対側に向けた裏向き状態で取付部に取り付け、上記ランプベース部を、その取付部に光源基板を裏向き状態に取り付けたとき光源基板の光源との間に光源から照射される光の拡散に必要な所定距離を置くように形成するとともに、光源基板の光源から照射される光をランプカバー側に反射するための反射面を有してなる構成にする。
【０００８】
この構成により、遊技機の前面部に設けられた発光装置では、ランプベース部の取付部に裏向き状態に取り付けられた光源基板の光源から光がランプベース部に向かって照射され、光源とランプベース部との間の空間で拡散しながらランプベース部の反射面に到達して反射され、この反射光がランプベース部と光源基板との間の隙間などを通ってランプカバー側にまで到達し、ランプカバーを通って遊技者側に照射される。このため、遊技者が発光装置から照射される光を眩しく感じることはなく、それにより目の疲れを感じることもない。その上、ランプベース部とランプカバーとの間に光源基板を内包しているため、従来公知の間接照明方式のものの如くランプカバーの背面と対向する位置以外の遊技機内部に光源基板の配置スペースを確保する必要はなく、その分実施化が図り易くなる。
【０００９】
請求項２に係る発明は、請求項１記載の遊技機において、上記ランプカバーを、光源基板が光源をランプカバー側に向けた表向き状態でランプベース部の取付部に取り付けられたとき光源基板の光源との間に光源から照射される光の拡散に必要な所定距離を置くように形成する構成にする。この構成では、ランプベース部の取付部に光源基板を表向き状態で取り付けたときでも光源基板の光源とランプカバーとの間に光源から照射される光の拡散に必要な所定距離が確保されているため、光源基板を裏向き状態で使用する場合と表向き状態で使用する場合とに使い分けることができる。
【００１０】
請求項３に係る発明は、請求項２記載の遊技機において、上記光源基板に、光を透過するための複数の切り欠き部を適宜分散して設ける構成にする。この構成では、光源基板の光源から照射された光がランプベース部の反射面で反射するとその反射光は、光源基板の複数の切り欠き部を透過してランプカバー側ひいては遊技者側に照射されるため、遊技者からは発光装置からの照射光が一風変わったように見える。
【００１１】
請求項４に係る発明は、請求項３記載の遊技機において、上記ランプベース部の反射面に、光源基板の各切り欠き部に対向して曲面部又は凹凸面部を設ける構成にする。この構成では、ランプベース部の反射面に設けた曲面部又は凹凸面部によって、ランプベース部の反射面で反射する反射光を光源基板の各切り欠き部に収束させることが可能になるため、光源基板の切り欠き部を透過する光量が多くなり、発光装置の照度が高くなる。
【００１２】
請求項５に係る発明は、請求項２記載の遊技機において、上記光源基板の幅寸法を、ランプベース部及びランプカバーの幅寸法の２分の１以下に設定する構成にする。この構成では、ランプベースと光源基板との間の隙間が大きく確保されているため、ランプベース部の反射面で反射した反射光の多くがこの隙間を透過してランプカバー側ひいては遊技者側に照射されることになり、発光装置の照度が高くなる。
【００１３】
請求項６に係る発明は、請求項２ないし請求項５のいずれか一つに記載の遊技機において、光源基板を取り付けるための取付部を有するランプベース部の一つの具体的な形態を提供するものである。すなわち、上記ランプベース部を、光源基板と対向する底部から光源基板寄りに突出する複数の円柱状の取付部を有する構成にし、かつこの各取付部の先端面に上記光源基板をそれぞれねじ止めにより固定する構成にする。
【００１４】
請求項７に係る発明は、請求項６記載の遊技機において、上記光源基板を、複数の部分に分割し、そのうちの一部を裏向き状態で，残部を表向き状態でそれぞれランプベース部の取付部に取り付ける構成にする。この構成では、光源基板の全部を裏向き状態又は表向き状態で取り付けて使用する態様の外に、光源基板の一部を表向き状態で、残部を表向き状態で取り付けて使用する態様が増えることになり、要求に応じた照明効果の変更を容易に行うことができる。
【００１５】
請求項８に係る発明は、請求項２ないし請求項７のいずれか一つに記載の遊技機において、上記ランプベース部を、遊技機の前面部の一部を構成する合成樹脂製のフレームと一体に成形する構成にする。この構成では、発光装置のランプベース部と遊技機前面部のフレームとの一体化により部品点数がその分少なくなるため、組立作業などが容易になる。
【００１６】
請求項９に係る発明は、請求項８記載の遊技機において、合成樹脂製のフレームと一体成形するランプベース部が反射面を有することになるための具体的な形態を提供するものである。すなわち、上記ランプベース部は、素材用樹脂に高反射グレードの樹脂を使用し、あるいは樹脂にクロムメッキ、アルミ蒸着又は反射フイルムの貼付の処理を施すことにより反射面を有してなる構成にする。
【００１７】
請求項１０に係る発明は、請求項１記載の遊技機を、遊技機の前面部に設けられる遊技機用発光装置として把握したものである。すなわち、この発光装置を、光源を実装した光源基板と、この光源基板を取り付けるための取付部を有するランプベース部と、このランプベース部との間に光源基板を内包するようにランプベース部に取り付けられたランプカバーとによって構成する。また、上記光源基板の少なくとも一部を、光源をランプカバーと反対側に向けた裏向き状態で取付部に取り付け、上記ランプベース部を、その取付部に光源基板を裏向き状態に取り付けたとき光源基板の光源との間に光源から照射される光の拡散に必要な所定距離を置くように形成するとともに、光源基板の光源から照射される光をランプカバー側に反射するための反射面を有してなる構成にする。
【発明の効果】
【００１８】
以上のように、本発明の遊技機及び遊技機用発光装置によれば、ランプベース部の取付部に裏向き状態に取り付けた光源基板の光源から照射された光がランプベース部の反射面で反射し、この反射光がランプカバーを通って遊技者側に照射されるため、遊技者がその光を眩しくて感じることはなく、長く遊技を楽しむことができる。その上、ランプベース部とランプカバーとの間に光源基板を内包しているため、従来公知の間接照明方式のものの如くランプカバーの背面と対向する位置以外の遊技機内部に光源基板の配置スペースを確保する必要はなく、実施化を容易に図ることができる。
【００１９】
特に、請求項２に係る発明では、ランプベース部の取付部に光源基板を表向き状態で取り付けたときでも光源基板の光源とランプカバーとの間に光源から照射される光の拡散に必要な所定距離が確保されているため、光源基板を裏向き状態で使用する場合と表向き状態で使用する場合とに使い分けることができ、ホール側での仕様変更が可能で使い勝手性を高めることができる。
【００２０】
請求項３に係る発明では、ランプベース部の反射面で反射した反射光が光源基板に設けた複数の切り欠き部を透過してランプカバー側ひいては遊技者側に照射されるため、遊技者には発光装置からの照射光が一風変わったように見えることになり、遊技演出効果を高めることができる。
【００２１】
請求項４に係る発明では、ランプベース部の反射面に設けた曲面部又は凹凸面部によって、ランプベース部の反射面で反射する反射光を光源基板の各切り欠き部に収束させることができるので、光源基板の切り欠き部を透過する光量を多くすることができ、発光装置の照度を高くすることできる。
【００２２】
請求項５に係る発明では、ランプベースと光源基板との間の隙間が大きく確保されているため、ランプベース部の反射面で反射した反射光の多くをこの隙間を透過してランプカバー側ひいては遊技者側に照射されることができ、発光装置の照度を高くすることができる。
【００２３】
請求項７に係る発明では、光源基板の全部を裏向き状態又は表向き状態で取り付けて使用する態様の外に、光源基板の一部を表向き状態で、残部を表向き状態でそれぞれ取り付けて使用することもできるので、要求に応じた照明効果の変更を容易に行うことができ、使い勝手性を高めることができる。
【００２４】
さらに、請求項８に係る発明では、発光装置のランプベース部と遊技機前面部のフレームとの一体化により部品点数がその分少なくなるため、組立作業の容易化などに寄与することができる。
【発明を実施するための最良の形態】
【００２５】
以下、本発明を実施するための最良の形態である実施形態を図面に基づいて説明する。
【００２６】
（第１の実施形態）
図１は本発明の第１の実施形態に係る遊技機としてのスロットマシンＡの外観を示す。このスロットマシンＡは、その前面部が前扉１により構成されており、この前扉１は、筐体の前方開口部（図示せず）に開閉可能に取り付けられている。
【００２７】
上記前扉１は、左右両側の端フレーム２Ｌ，２Ｒ同士を上部フレーム３、中間フレームとしての操作盤４及び下部フレーム５でそれぞれ連結して枠構造が構成されており、上部フレーム３には上部ランプ６、上部パネル７及び左右２つのスピーカ８，８が設けられている。また、操作盤４上には操作部としてのメダル投入口１１、始動スイッチ１２及び３つの停止スイッチ１３，１３，１３などが適宜配置されている。
【００２８】
上記前扉１の中央部には中間パネル１６が装着されており、この中間パネル１６の周囲は上部フレーム３，左右の端フレーム２Ｌ，２Ｒ及び操作盤４により支持されている。中間パネル１６は、アクリル板のような透明な合成樹脂板や強化ガラス板などの裏面にシルクスクリーン印刷により絵柄や模様などを施してなり、この中間パネル１６の中央部には、シルクスクリーン印刷を施さず透明なままの部分である矩形状のリール表示窓１７が形成されている。このリール表示窓１７からは、筐体内に配置されたリール装置の３つの回転リール１８，１８，１８の各外周面に一列に描かれた図柄（図示せず）が３つずつ見えるようになっており、始動スイッチ１２の操作により各回転リール１８を回転させた後停止スイッチ１３の操作によりその回転を停止させたときリール表示窓１７の有効ライン上に所定の図柄が揃うか否かによって遊技が行われる。
【００２９】
上記前扉１の下部（詳しくは操作盤４と下部フレーム５との間）には下部パネル２０が下部パネル枠２１により周囲を保持した状態で装着されており、この下部パネル２０は、タイトルパネルとして矩形状の合成樹脂板の裏面に機種名などを印刷してなる。また、前扉１の下部フレーム５にはメダル払出口２２が設けられているとともに、このメダル払出口２２から払い出されるメダルを受け取るためのメダル受け皿２３が取り付けられている。
【００３０】
そして、上記上部ランプ６は、本発明にいう発光装置であって、スロットマシンＡがボーナスゲームに入賞したときなどに発光して報知を行うものである。この上部ランプ６は、図２ないし図６に詳示するように、多数の光源としての発光ダイオード３０，３０，…を実装した光源基板３１と、この光源基板３１を取り付けるための複数の取付部４０，４０，…を有するランプベース部４１と、このランプベース部４１との間に光源基板３１を内包するようにランプベース部４１に取り付けられたランプカバー５０とを備えている。
【００３１】
上記光源基板３１は、前扉１の横幅略全長に亘って延びる横方向に細長い矩形状のものであり、この光源基板３１の表面側には、図７に拡大詳示するように、多数の発光ダイオード３０，３０，…が縦方向に３列で横方向に互い違い状態に、換言すれば菱形の頂点位置を横方向に連ねて状態に実装されているとともに、光源基板３１の裏面側には１つのコネクタ受け部３２が設けられており、この受け部３２には、図示していないが、コネクタを介して筐体内の制御基板が接続され、この制御基板の指令に基づいて光源基板３１上の各発光ダイオード３０の点灯又は点滅が制御されるようになっている。また、光源基板３１には、光を透過するための菱形や三角形などの各種形状の切り欠き部３３，３３，…が発光ダイオード３０及びコネクタ受け部３２と干渉せずかつ上下対称及び左右対称に分散した状態でそれぞれ複数ずつ設けられている。そして、この光源基板３１は、一つの取付態様として、その表面側つまり発光ダイオード３０をランプカバー５０と反対側に向けた裏向き状態でランプベース部４１の取付部４０に取り付けられている。尚、各発光ダイオード３０は、同一色のものに限らず、異なる色のものを用いたり、発光色が変わるものを用いたりしてもよい。
【００３２】
上記ランプベース部４１は、上部フレーム３と合成樹脂により一体に成形されているとともに、前方に開口する断面略コ字状に形成されている。このランプベース部４１の開口部４２は、前方から見て光源基板３１よりも一回り大きい横方向に細長い矩形状に形成されており、ランプベース部４１の奥行き側である底部４１ａには開口部４２側に向かって突出する円柱状の取付部４０が左右両端に２つずつ、中央部２個所に１つずつ合計６つ形成されており、この各取付部４０の先端面に光源基板３１がそれぞれねじ４３で止めることにより固定されている。ランプベース部４１の奥行き及び取付部４０の突出高さは、取付部４０に光源基板３１を裏向き状態で取り付けたとき光源基板３１の発光ダイオード３０とランプベース部４１の底部４１ａとの間に発光ダイオード３０から照射される光の拡散に必要な所定距離（発光ダイオード３０の高さ寸法以上）を置くように設定されている。また、ランプベース部４１は、素材用樹脂として高反射グレードの樹脂を使用し、あるいは樹脂にクロムメッキ、アルミ蒸着又は反射フイルムの貼付の処理を施すことにより内面全体に反射面４４を有してなり、この反射面４４によって、ランプベース部４１の取付部４０に裏向き状態で取り付けた光源基板３１の各発光ダイオード３０から照射される光を前方である光源基板３１側ひいてはランプカバー５０側に反射するようになっている。ランプベース部４１の反射面４４は、光源基板３１の各切り欠き部３３に対向して、曲面部４５又は凹凸面部４６を有し、図４ないし図６に仮想線で示すように、上記光源基板３１の発光ダイオード３０から照射される光を光源基板３１の各切り欠き部３３に集中的に反射するようになっている。
【００３３】
上記ランプカバー５０は、光透過性を有するアクリル樹脂などの合成樹脂からなり、ランプベース部４１の開口部４２を覆うように装着されている。このランプカバー５０は、ランプベース部４１の開口部４２から前方に膨出するように断面コ字状に形成されており、光源基板３１が発光ダイオード３０をランプカバー５０側に向けた表向き状態でランプベース部４１の取付部４０に取り付けられたとき光源基板３１の発光ダイオード３０とランプカバー５０の背面との間に発光ダイオード３０から照射される光の拡散に必要な所定距離を置くようになっている。
【００３４】
従って、上記上部ランプ６においては、ランプベース部４１の取付部４０に光源基板３１が発光ダイオード３０をランプカバー５０と反対側に向けた裏向き状態に取り付けられ、この光源基板３１の発光ダイオード３０から光がランプベース部４１の底部４１ａに向かって照射され、発光ダイオード３０とランプベース部４１との間の空間で拡散しながらランプベース部４１の反射面４４に到達して反射され、この反射光が光源基板３１に適宜分散して設けた複数の切り欠き部３３，３３，…を通ってランプカバー５０側にまで到達し、ランプカバー５０を透過して遊技者側に照射される。このため、遊技者が上部ランプ６から照射される光を眩しく感じることはなく、それにより目の疲れを感じることもない。
【００３５】
その上、ランプベース部４１とランプカバー５０との間に光源基板３１を内包しているため、従来公知の間接照明方式のものの如くランプカバー５０の背面と対向する位置以外の前扉１の裏側に光源基板３１の配置スペースを確保する必要はなく、その分実施化を容易に図ることができる。また、ランプベース部４１は、前扉１の一つの枠材である上部フレーム３と合成樹脂により一体に成形されているため、その分部品点数を少なくすることができ、組立作業の容易化及び部品管理の容易化などに寄与することができる。
【００３６】
しかも、上記光源基板３１の各切り欠き部３３は種々の形状のものであり、この各切り欠き部３３を透過して遊技者側に照射される光は、遊技者からは一風変わったように見えるため、上部ランプ３の発光報知による遊技演出効果を高めることができる。また、上記ランプベース部４１の反射面４４は、光源基板３１の各切り欠き部３３に対向して設けた曲面部４５又は凹凸面部４６によって反射光を光源基板３１の各切り欠き部３３に収束させることができるので、光源基板３１の切り欠き部３３を透過する光量を多くすることができ、上部ランプ６の照度を高くすることができる。
【００３７】
さらに、上記ランプカバー５０は、光源基板３１が発光ダイオード３０をランプカバー５０側に向けた表向き状態でランプベース部４１の取付部４０に取り付けられたとき光源基板３１の発光ダイオード３０との間に発光ダイオード３０から照射される光の拡散に必要な所定距離を置くように前方に膨出した断面コ字状に形成されているため、光源基板３１を裏向き状態で使用する場合と表向き状態で使用する場合とに使い分けることができる。この結果、ホール側は１台のスロットマシンＡで上部ランプ６の光源基板３１の取付状態を変更することができるとともに、スロットマシンＡの島で１台置きに上部ランプ６の光源基板３１の取付状態を変更して島に変化をつけることができ、使い勝手性を高めることができる。
【００３８】
（第２の実施形態）
図８ないし図１０は本発明の第２の実施形態として、第１の実施形態に係るスロットマシンＡの上部ランプ６の変形例を示す。この上部ランプ６は、第１の実施形態の場合と同じく、多数の光源としての発光ダイオード６０，６０，…を実装した光源基板６１と、この光源基板６１を取り付けるための複数の取付部７０，７０，…を有するランプベース部７１と、このランプベース部７１との間に光源基板６１を内包するようにランプベース部７１に取り付けられたランプカバー５０とを備えている。
【００３９】
上記光源基板６１は、第１の実施形態の場合の光源基板３１よりも細い帯板状のものであり、その縦幅つまり縦方向（上下方向）の幅寸法は、ランプベース部７１及びランプカバー５０の縦方向の幅寸法の２分の１以下（図では３分の１程度）に設定されている。この光源基板６１の表面側には、多数の発光ダイオード６０，６０，…が長手方向に一列で所定間隔毎に実装されているとともに、光源基板６１の裏面側には１つのコネクタ受け部６２が設けられている。そして、この光源基板６１は、一つの取付態様として、その表面側つまり発光ダイオード６０をランプカバー５０と反対側に向けた裏向き状態でランプベース部７１の取付部７０に取り付けられている。
【００４０】
上記ランプベース部７１は、第１の実施形態の場合のランプベース部４１と同じく、上部フレーム３と合成樹脂により一体に成形されているとともに、前方に開口する断面略コ字状に形成されているが、その底部７１ａの断面形状は略円弧状に形成されている。このランプベース部７１の底部７１ａには開口部７２側に向かって突出する円柱状の取付部７０が左右両端及び中央部２個所にそれぞれ１つずつ計４つ横方向に略等間隔で形成されており、この各取付部７０の先端面に光源基板６１がそれぞれねじ７３で止めることにより固定されている。ランプベース部７１の奥行き及び取付部７０の突出高さは、取付部７０に光源基板６１を裏向き状態に取り付けたとき光源基板６１の発光ダイオード６０とランプベース部７１の底部７１ａとの間に発光ダイオード６０から照射される光の拡散に必要な所定距離（発光ダイオード６０の高さ寸法以上）を置くように設定されている。また、ランプベース部７１は、第１の実施形態の場合のランプベース部４１と同じく内面全体に反射面７４を有してなり、この反射面７４によって、ランプベース部７１の取付部７０に裏向き状態で取り付けた光源基板６１の各発光ダイオード６０から照射される光を前方である光源基板６１側ひいてはランプカバー５０側に反射するようになっている。ランプベース部７１の反射面７４は、光源基板６１の発光ダイオード６０の配列中心線である横方向中心線に対応して、横方向に延びる１つの凸面部７５を有し、上記光源基板６１の発光ダイオード６０から照射される光を光源基板６１の上下両縁とランプベース部７１との隙間側に反射するようになっている。
【００４１】
尚、上部ランプ６のランプカバー５０及びその他の構成は、第１の実施形態の場合と同じであり、同一部材には同一符号を付してその説明は省略する。
【００４２】
そして、上記第２の実施形態の上部ランプ６においても、ランプベース部７１の取付部７０に光源基板６１が発光ダイオード６０をランプカバー５０と反対側に向けた裏向き状態に取り付けられ、この光源基板６１の発光ダイオード６０から光がランプベース部７１の底部７１ａに向かって照射され、発光ダイオード６０とランプベース部７１との間の空間で拡散しながらランプベース部７１の反射面７４に到達して反射され、この反射光が光源基板６１の上下両縁とランプベース部７１との隙間を通ってランプカバー５０側にまで到達し、ランプカバー５０を透過して遊技者側に照射される。このため、第１の実施形態の場合と同様に、遊技者が上部ランプ６から照射される光を眩しく感じることはなく、それにより目の疲れを感じることもない。
【００４３】
しかも、上記光源基板６１の縦幅は、ランプベース部７１及びランプカバー５０の縦幅の２分の１以下に設定され、光源基板６１の上下両縁とランプベース部７１との隙間が大きく確保されており、またランプベース部７１の反射面７４の凸面部７５により光源基板６１の発光ダイオード６０から照射される光を光源基板６１の上下両縁とランプベース部７１との隙間側に反射するようになっているため、ランプベース部７１の反射面７４で反射した反射光の多くがこの隙間を通ってランプカバー５０側ひいては遊技者側に照射されることになり、上部ランプ６の照度を高くすることができる。
【００４４】
その上、第１の実施形態の場合と同様に、ランプベース部７１とランプカバー５０との間に光源基板６１を内包しているため、ランプカバー５０の背面と対向する位置以外の前扉の裏側に光源基板３１の配置スペースを確保する必要がなく、実施化を容易に図ることができる。また、ランプベース部７１を上部フレーム３との一体成形により部品点数を少なくして、組立作業の容易化などに寄与することができるなどの効果をも奏する。
【００４５】
（第３の実施形態）
図１１及び図１２は本発明の第３の実施形態として、第１の実施形態に係るスロットマシンＡの上部ランプ６の別の変形例を示す。この第３の実施形態の場合、上部ランプ６は、その発光基板８１が第２の実施形態の場合のそれと異なるだけである。
【００４６】
すなわち、上記発光基板８１は、第２の実施形態の場合のそれと同様に細い帯板状のものであり、その縦幅は、ランプベース部７１及びランプカバー５０の縦幅の２分の１以下に設定されている。この光源基板８１は、ランプベース７１の中央２個所の取付部７０，７０に対応した部位でそれぞれ切断して３つの部分つまり分割基板８１ａ，８１ｂ，８１ｃに分割されており、この各分割基板８１ａ〜８１ｃの表面側にはそれぞれ発光源としての複数の発光ダイオード８０，８０，…が長手方向に一列で所定間隔毎に実装されているとともに、各分割基板８１ａ〜８１ｃの裏面側にはそれぞれ１つのコネクタ受け部８２が設けられている。そして、光源基板８１の一つの取付形態として、左右２つの分割基板８１ａ，８１ｃは発光ダイオード８０をランプカバー５０と反対側に向けた裏向き状態で、中央の分割基板８１ｃは発光ダイオード８０をランプカバー５０側に向けた表向き状態でそれぞれ取り付けられている。
【００４７】
上記各分割基板８１ａ〜８１ｃをランプベース部７１の取付部７０に取り付ける場合には、各分割基板８１ａ〜８１ｃの端部を取付部７０の先端面に載置しかつねじ７３の頭部により挟んで固定されている。尚、上部ランプ６のその他の構成は、第２の実施形態の場合と同じであり、同一部材には同一符号を付してその説明は省略する。
【００４８】
そして、上記第３の実施形態の上部ランプ６においては、第２の実施形態の場合と同様の作用・効果を奏することができる上、光源基板８１が３つの分割基板８１ａ〜８１ｃに分割され、その３つの分割基板８１ａ〜８１ｃの全部を裏向き状態又は表向き状態で取り付けて使用する態様の外に、図示の如く左右２つの分割基板８１ａ，８１ｃを裏向き状態で、中央の分割基板８１ｂを表向き状態でそれぞれ取り付けて使用することもできるので、要求に応じた照明効果の変更を容易に行うことができ、使い勝手性をより高めることができるという効果を併有する。
【００４９】
尚、本発明は上記第１〜第３の実施形態に限定されるものではなく、その他種々の形態を包含するものである。例えば、上記各実施形態では、上部ランプ６のランプベース部４１，７１を前扉１の上部フレーム３と合成樹脂により一体に成形したが、本発明は、上部ランプ６のランプベース部を、前扉１の上部フレーム３とは別個に合成樹脂又は金属により構成してもよい。この場合、ランプベース部が反射面を有するための方法としては、ランプベース部を構成する樹脂又は金属に反射性を有するものを使用するか、あるいはランプベース部の内面にクロムメッキ、アルミ蒸着又は反射フイルムの貼付などの処理を施すようにすればよい。
【００５０】
また、上記各実施形態では、上部ランプ６のランプベース部４１，７１の底部４１ａ，７１ａに開口部４２，７２側に突出する複数の円柱状の取付部４０，７０を形成し、この各取付部４０，７０の先端面に光源基板３１，６１，８１をねじ止めにより固定したが、本発明は、ランプベース部４１．７１の四方壁部（つまり上壁部、下壁部及び左右の側壁部）に取付部を形成し、この取付部に光源基板を取り付けるように構成してもよい。
【００５１】
さらに、上記各実施形態では、いずれも、スロットマシンＡの前扉１に発光装置として横方向に細長い上部ランプ６が設けられた場合について述べたが、本発明は、前扉１の上部左右それぞれに正面視で正方形状や円形状などの上部ランプが設けられる場合、前扉１の中間パネル１６の左右両側を支持する端フレーム２Ｌ，２Ｒの部位に縦方向に細長い発光装置を装備する場合、あるいはパチンコ機の遊技盤又は前面枠に発光装置を装備する場合などにも同様に適用することができるのは勿論である。
【図面の簡単な説明】
【００５２】
【図１】本発明の第１の実施形態に係るスロットマシンの外観を示す正面図である。
【図２】上記スロットマシンの前扉の上部ランプからランプカバーを取り外した状態で上部ランプ付近を拡大して示す正面図である。
【図３】ランプカバーを取り付けた状態における図２のＥ−Ｅ線における断面図である。
【図４】同じく図２のＦ−Ｆ線における拡大断面図である。
【図５】同じく図２のＧ−Ｇ線における拡大断面図である。
【図６】同じく図２のＨ−Ｈ線における拡大断面図である。
【図７】光源基板の平面図である。
【図８】第２の実施形態を示す図２相当図である。
【図９】ランプカバーを取り付けた状態における図８のＩ−Ｉ線における断面図である。
【図１０】同じく図８のＪ−Ｊ線における拡大断面図である。
【図１１】第３の実施形態を示す図２相当図である。
【図１２】ランプカバーを取り付けた状態における図１１のＫ−Ｋ線における断面図である。
【符号の説明】
【００５３】
Ａ    スロットマシン（遊技機）
１    前扉（前面部）
３    上部フレーム
６    上部ランプ（発光装置）
３０，６０，８０    発光ダイオード（光源）
３１，６１，８１    光源基板
３３    切り欠き部
４０，７０    取付部
４１，７１    ランプベース部
４１ａ，７１ａ    底部
４３，７３    ねじ
４４，７４    反射面
４５    曲面部
４６    凹凸面部
５０    ランプカバー
８１ａ，８１ｂ，８１ｃ    分割基板
【図１】
2006034369.tif 000003
【図２】
2006034369.tif 000004
【図３】
2006034369.tif 000005
【図４】
2006034369.tif 000006
【図５】
2006034369.tif 000007
【図６】
2006034369.tif 000008
【図７】
2006034369.tif 000009
【図８】
2006034369.tif 000010
【図９】
2006034369.tif 000011
【図１０】
2006034369.tif 000012
【図１１】
2006034369.tif 000013
【図１２】
2006034369.tif 000014